(57)【要約】      （修正有）【課題】容器本体内に取残しを生じることなく棒状体収容物を計量して取り出すことができ、簡易な構造を有し、収容物を効率よく収容できる棒状体保存容器を提供する。【解決手段】有底筒状に形成された容器本体２０と、容器本体の上端部に設けられた上端閉塞部３０とを備え、上端閉塞部が、容器本体に収容された棒状体を取出すための取出し口と、取出し口を開閉するための蓋部とを有し、取出し口は、第１および第２の２つの周縁部４５，４６を有しており、第１の周縁部４５は、直線部および曲線部のいずれか一方または双方を有して、容器本体の周壁の内面の延長面上よりも周壁の外面側に位置するか、あるいは容器本体の周壁の内面の延長面上に実質的に位置するように構成されている。第２の周縁部４６は、第１の周縁部の両端を実質的に直線で結ぶように形成されて、第１および第２の２つの周縁部で取出し口が形成されている。【選択図】図１
2011219151.tif 000002
【特許請求の範囲】
【請求項１】
有底筒状に形成された容器本体と、前記容器本体の上端部を塞ぐ上端閉塞部とを備え、
前記上端閉塞部が、前記容器本体に収容された棒状体を取出すための取出し口と、前記取出し口を開閉するための蓋部とを有し、
前記取出し口は、第１および第２の周縁部を有し、
前記第１の周縁部は、
前記容器本体の周壁の内面の延長面上よりも外側に位置するか、
または前記周壁の内面の延長面上に実質的に位置しており、
直線部および曲線部のいずれか一方または双方を有し、
前記第２の周縁部は、前記第１の周縁部の両端を実質的に直線で結ぶように形成されたこと
を特徴とする棒状体保存容器。
【請求項２】
前記上端閉塞部が複数の前記取出し口を有し、それぞれの取出し口の開口面積が相違することを特徴とする請求項１に記載の棒状体保存容器。
【請求項３】
前記容器本体の長さ方向と直交する断面形状が正方形または長方形であることを特徴とする請求項１または２に記載の棒状体保存容器。
【請求項４】
前記蓋部が、前記第２の周縁部とほぼ平行に位置づけられた回動軸を有するヒンジ部によって、回動自在に前記取出し口を開閉することを特徴とする請求項１ないし３のいずれか１項に記載の棒状体保存容器。
【発明の詳細な説明】
【技術分野】
【０００１】
本発明は、乾燥パスタ等の棒状体を保存するとともに、これら棒状体を所望量計量して取り出すことができる棒状体保存容器に関するものである。
【背景技術】
【０００２】
一般にスパゲッティーや蕎麦、うどん等の乾燥パスタは、長さが切り揃えられ且つ一定量（例えば１人前）に束ねられた状態で販売されている。こうした乾燥パスタを容器に保存する場合には、束を解いて容器に保存し、使用時に所望量だけ容器から取り出すのが一般的である。例えば２人前のスパゲッティーを調理するときには、容器から２人前にあたる例えば２００ｇの乾燥スパゲッティーを、はかり等で計量しながら取り出す必要がある。こうしたことから、調理には予め所定量を計量し、これらを小分けにしておくなどの下準備が必要になり、また小分けした乾燥スパゲッティーを置くためのスペースが必要となる。
【０００３】
そこで、所望量の乾燥パスタを取り出すことができる保存容器が考案された。例えば、容器本体の上端部に漏斗状蓋部を嵌合自在に備え、この漏斗状蓋部の一部周縁壁には上蓋部の鍔寄りに穿設した大孔と略同一の大きさを有する漏斗口を形成して、大孔と小孔を穿設した上蓋部を漏斗状蓋部の周縁壁に対し回動自在に嵌め込んだ保存容器（食品用保存容器）に係る技術的思想が存在する（特許文献１）。かかる保存容器では、上蓋部を漏斗状蓋部の周縁壁に対し回動させて大孔と漏斗口とを一致させることによって例えば２００ｇのスパゲッティーを、あるいは小孔と漏斗口とを一致させることによって例えば１００ｇのスパゲッティーを取り出すことができる、とされる。
【０００４】
また、有底筒状に形成された容器本体と、その容器本体の上部を嵌脱可能に閉鎖する中蓋部及び上蓋部とを有して、中蓋部には上方ほど狭まるテーパー形状に形成された左右一対のロート部を形成するとともに、各ロート部の中央には口径の異なる左右一対の取出し孔を穿設し、中蓋部と上蓋部との間には両取出し孔の中間部を中心として左右方向に回動する板状の回動蓋部を設け、その回動蓋部の各面には取出し孔と嵌合する嵌合部を設け、回動蓋部を左右いずれかの方向に回動させて一方の取出し孔と嵌合させることによって、その取出し孔を閉鎖するようにした保存容器（麺類ストッカー）が考案されている（特許文献２）。かかる保存容器では、口径の異なる左右一対の取出し孔を選択的に開閉できるから、口径に応じた乾燥麺類を取り出すことができるとされる。
【０００５】
また、本体と窓材からなり、本体は、計量部と、落とし込み用開口部と、本体取り出し用開口部とを有し、窓材は、擦り切り用平板部と、受け入れ用開口部と、窓材取り出し用切り欠き部とを有し、落とし込み用開口部と受け入れ用開口部とが一致する第１位置にて、乾麺を計量部に落とし込み、窓材を移動させることによって、擦り切り用平板部が乾麺を擦り切り、本体取り出し用開口部と窓材取り出し用切り欠き部とが一致する第２位置にて、計量部に落とし込まれた乾麺を取り出し可能に構成された乾麺計量機能付き容器（保存容器）が考案されている（特許文献３）。
【先行技術文献】
【特許文献】
【０００６】
【特許文献１】実開昭６１−１４７７６８号公報
【特許文献２】特開２００１−３１１６２号公報
【特許文献３】特開２００９−２０８８１４号公報
【発明の概要】
【発明が解決しようとする課題】
【０００７】
しかし、特許文献１に開示された保存容器では、所望量（例えば２００ｇ）の乾燥パスタを取り出すためには、その数倍（例えば６００ｇ）の乾燥パスタが保存容器内に保存されていなければならない。何故ならば、図１０に示すように上蓋部２を平面視したとき、大孔３の周縁３ａは、何れも容器本体１の内周面１ａと重ならないか、重なったとしても一点で内周面１ａと接するに過ぎない。そうすると、上蓋部２では、鎖線Ｌ１より下方において、大孔３の周縁３ａと容器本体１の内周面１ａとの間の領域が乾燥パスタの流出を阻止することになる（小孔４の場合も同様）。
【０００８】
従って、乾燥パスタを取り出すために保存容器を傾けた場合（上蓋部２が若干下方に向くように傾けた場合）、容器本体１内では、内周面１ａの最も低い位置と、大孔３の周縁３ａ（小孔４の場合にはその周縁）の最高部分との差ｈ１よりも低い位置までしか、乾燥パスタが収容されていないときには（例えば図１０中、ｈ２の高さまでしか収容されていないときには）、所望量よりも多くの乾燥パスタが容器本体に収容されているにも拘らず、所望量の乾燥パスタを計量して取り出すことができないことにならざるを得ない。すなわち、所望量の乾燥パスタを取り出すためには、図１１に示すように、容器本体内に取残しが生じざるを得ないほど乾燥パスタが収容されていなければならないのである。加えて、当該保存容器では、上蓋部と漏斗状蓋部との位置合わせ誤差が計量誤差を生むため、計量が容易とはいい難い。
【０００９】
特許文献２に開示された保存容器では、上蓋部と漏斗状蓋部との位置合わせ誤差が計量誤差を生む等の問題は生じない。しかし、左右一対の取出し孔と、容器本体の内周面との位置関係は、特許文献１の保存容器の場合と同様であって、乾燥パスタの取残しが生じてしまう。
【００１０】
特許文献３に開示された保存容器では、容器本体内に擦り切り用平板部を有して、乾燥パスタの取残しを生じることなく、乾燥パスタ（乾麺）を計量し取り出すことができる。しかしながら、当該保存容器は、その内部構造が複雑な点は否めないことに加えて、２つの保持板の下方には乾燥パスタを収容できないから、保存量に比して内容積が大きくなってしまう。
【００１１】
本発明は、これらを含む従来技術上の難点を改善するべくなされたものであり、収容物（例えば乾燥パスタ等）を取り出す際に、容器本体内に収容物の取残しを殆ど生じることなく、好ましくは取残しを生じることなく、収容物を容易に計量することができ、また簡易な構造を有し且つ容器本体内空間に収容物を効率よく収容することができ、好ましくは当該棒状体保存容器の収納スペースを節約することができる棒状体保存容器を提供することを課題とするものである。
【課題を解決するための手段】
【００１２】
これら課題を解決するため、本発明に係る棒状体保存容器（請求項１）は、有底筒状に形成された容器本体と、前記容器本体の上端部に設けられた上端閉塞部を備え、前記上端閉塞部が、前記容器本体に収容された棒状体を取出すための取出し口と、前記取出し口を開閉するための蓋部を有し、前記取出し口は、第１および第２の２つの周縁部を有して構成される。ここで前記第１の周縁部は、直線部および曲線部のいずれか一方または双方を有して、前記容器本体の周壁の内面の延長面上よりも周壁の外面側に位置するか、あるいは前記容器本体の周壁の内面の延長面上に実質的に位置している。
【００１３】
一方前記第２の周縁部は、前記第１の周縁部の両端を実質的に直線で結ぶように形成されて、第１および第２の２つの周縁部が前記取出し口を形成するようになっている。従って前記蓋部を開いて、前記第１の周縁部が前記第２の周縁部より下方になるように当該棒状体保存容器を傾斜させると、収容物である棒状体を前記蓋部から取り出すことができる。このとき第１および第２の２つの周縁部は棒状体の取出しを阻止せず、上端閉塞部の取出し口の上方領域のみが阻止するのだから、前記第２の周縁部をほぼ水平に保てば、収容物である棒状体がちょうど前記取出し口の面積と棒状体の長さに応じた重量だけ収容されているときであっても、取残しなく、あるいは殆ど生じることなく棒状体を計量して取出すことができることになる。
【００１４】
前記上端閉塞部が複数の前記取出し口を有し、それぞれの取出し口の開口面積が相違していれば（請求項２）、前記複数の取出し口のいずれかを選択して開くことで、所望量の棒状体を取り出すことができる。例えば乾燥パスタを１人分、あるいは２人分と計量して取り出すことができる。また、前記容器本体の長さ方向と直交する断面形状が正方形または長方形であれば（請求項３）、複数の当該棒状体保存容器を立てた状態で、狭いスペースに互いに密着するように並べることができるから、デッドスペースなく当該棒状体保存容器を収納等することができる。
【００１５】
前記蓋部が、前記第２の周縁部とほぼ平行に位置づけられた回動軸を有するヒンジ部によって、回動自在に前記取出し口を開閉するようになっていれば（請求項４）、前記蓋部を開けるだけで、前記取出し口の面積に応じた重量の棒状体を取り出すことができる。もちろん当該棒状体保存容器が前記複数の取出し口を有していれば、例えば乾燥パスタを１人分、あるいは２人分と計量して取り出すことができる。なお前記蓋部の回動軸と前記第２の周縁部との平行関係は、前記蓋部の開閉動作を単純化できれば足りるのであって、厳密な平行を意味するものではなく、実質的な平行或いは前記蓋部の開閉動作を単純化するに十分な位置関係にあればよい。
【発明の効果】
【００１６】
すなわち本発明の棒状体保存容器によれば、収容物（例えば乾燥パスタ等）を取り出す際に、容器本体内に収容物の取残しを生じることなく、あるいは殆ど生じることなく収容物を容易に計量することができる。また本発明の棒状体保存容器は、容器本体と上端閉塞部を備え、上端閉塞部が取出し口とその蓋部を有する簡易な構造であり、容器本体内空間を収容物の収容に効率よく収容でき、さらに容器本体の長さ方向と直交する断面形状が正方形または長方形とすることで、当該棒状体保存容器の収納スペースを節約することができる。デッドスペースなく当該棒状体保存容器を収納等することができるため、狭いスペースなど限られた場所に複数収容する場合などに他にはない利便性を与えることができる。
【図面の簡単な説明】
【００１７】
【図１】本発明の一実施形態に係る棒状体保存容器の概略斜視図である。
【図２】図１に示す棒状体保存容器が備えた容器本体と上端閉塞部の概略構造を示す図である。
【図３】図２に示す上端閉塞部とその取出し口の概略構造を示す図である。
【図４】図２に示す容器本体の周壁と図３に示す取出し口との位置関係を示す図である。
【図５】本発明の一実施形態に係る容器本体の周壁と取出し口との、別の位置関係を示す図である。
【図６】図１に示す棒状体保存容器の蓋部の近傍の概略構造と蓋部の開閉を説明するための図である。
【図７】図１に示す棒状体保存容器からの棒状体取出について説明するための図である。
【図７Ａ】図１に示す棒状体保存容器からの棒状体取出について説明するための図である。
【図８】本発明の一実施形態に係る棒状体保存容器から取残しなく乾燥パスタを取り出すことができることを説明するための図である。
【図９】本発明の一実施形態に係る棒状体保存容器の取出し口が有する第２の周縁部の一例を示す図である。
【図９Ａ】本発明の別の実施形態に係る棒状体保存容器の取出し口の一例を示す図である。
【図９Ｂ】本発明のさらに別の実施形態に係る棒状体保存容器の取出し口の一例を示す図である。
【図９Ｃ】本発明のさらに別の実施形態に係る棒状体保存容器の取出し口の一例を示す図である。
【図９Ｄ】本発明のさらに別の実施形態に係る棒状体保存容器の取出し口の一例を示す図である。
【図９Ｅ】本発明のさらに別の実施形態に係る棒状体保存容器の取出し口の一例を示す図である。
【図９Ｆ】本発明のさらに別の実施形態に係る棒状体保存容器の取出し口の一例を示す図である。
【図９Ｇ】本発明のさらに別の実施形態に係る棒状体保存容器の一例を示す図である。
【図１０】従来の棒状体保存容器の一例における棒状体取出を説明するための図である。
【図１１】従来の棒状体保存容器の一例における棒状体取出を説明するための図である。
【発明を実施するための形態】
【００１８】
以下、本発明を実施するための形態について説明する。
（棒状体保存容器の構成）
図１は本発明の一実施形態に係る棒状体保存容器１０の概略斜視図であり、図２は棒状体保存容器１０が備える容器本体２０と上端閉塞部３０の概略構造を示す図である。先ずこれらの図に基づいて棒状体保存容器１０、容器本体２０および上端閉塞部３０について説明する。
【００１９】
容器本体２０は、底面２１と４つの周壁２２〜２５を有する有底筒状の形状を有し（周壁２２と周壁２４が相対し、周壁２３と周壁２５が相対している）、高さ方向（長手方向）と直交する断面の形状がほぼ正方形であり、底面２１と相対する上端２６（上端部）が開口した容器本体内空間２７を形成している。周壁２２および２４の外面２２ａおよび２４ａの上端２６側には、係止爪２２ｘおよび２４ｘがそれぞれ形成されている。
【００２０】
上端閉塞部３０は、天井板３１と４つの周壁３２〜３５を有する有底筒状の形状を有し、天井板３１と相対する下端３６側が開口している。相対する周壁３２と周壁３４の下端からは、係止部３２ｃおよび３４ｃがそれぞれ下方に延出し、係止部３２ｃおよび３４ｃには係止孔３２ｘおよび３４ｘがそれぞれ穿設されている。
【００２１】
図２に示すように、上端閉塞部３０を鎖線矢印Ｘ方向に容器本体２０の上端２６に被せるようにして、上端２６を閉じることができる。より具体的には、容器本体２０の上端２６に、上端閉塞部３０の天井板３１の内面３１ｂがほぼ当接するようにすると、上端閉塞部３０の係止部３２ｃおよび３４ｃに穿設された係止孔３２ｘおよび３４ｘが、容器本体２０の係止爪２２ｘおよび２４ｘにそれぞれ係止して、上端２６を上端閉塞部３０で塞ぐことができる。なお容器本体２０の４つの周壁２２〜２５の外面２２ａ〜２５ａと、上端閉塞部３０の４つの周壁３２〜３５の内面３２ｂ〜３５ｂとの間には、容器本体２０と上端閉塞部３０との着脱を実現できる適度の僅かなあそびが形成されるようになっている。
【００２２】
また上端閉塞部３０の係止部３２ｃおよび３４ｃは、可撓性を有しており、それぞれを容器本体２０の周壁２２および２４から離すように変形させることで、上端閉塞部３０を容器本体２０から取り外すことができる。なお容器本体２０と上端閉塞部３０が、それぞれ透明若しくは半透明の樹脂等で形成されていれば、収容物の残量を目視できるので好ましい。
【００２３】
（取出し口について）
次に上端閉塞部３０が有する取出し口について説明する。図３に示すように上端閉塞部３０は、平面視ほぼ正方形の天井板３１の４つのコーナーに、第１取出し口４１、第２取出し口４２、第３取出し口４３および第４取出し口４４の合計４つの取出し口を有している。これら取出し口の開口面積は、第１取出し口４１が一番広く、第２取出し口４２、第３取出し口４３、第４取出し口４４の順に順次狭くなっている。
【００２４】
これら取出し口の構成について、第１取出し口４１を例に説明する。第１取出し口４１は、長さの等しい２つの直線部４５ａおよび４５ｂからなる第１の周縁部４５と、第１の周縁部４５の両端４５ｘと４５ｙとを、直線で結ぶ第２の周縁部４６とで形成されて、略直角二等辺三角形をなしている。ここで直線部４５ａは、周壁３２の厚さｄ１の間隔を隔てて外面３２ａに略平行に位置づけられ、また直線部４５ｂも、周壁３５の厚さｄ１の間隔を隔てて外面３５ａに略平行に位置づけられている。そして第１取出し口４１が形成する三角形の頂点は、周壁３２と周壁３５とが交差する天井板３１のコーナーの近傍に位置している。
【００２５】
また２つの直線部４５ａおよび４５ｂは、それぞれ、容器本体２０の周壁２２の外面２２ａおよび周壁２５の外面２５ａの延長面上にほぼ位置付けられている（図４参照、なお図４は、上端閉塞部３０の第１取出し口４１の一部領域を周壁３５と平行な断面で示した図である）。すなわち、容器本体２０の周壁２２の内面２２ｂを図４中で上方に延長する延長面の位置を、鎖線Ｙで示すと、直線部４５ａは、鎖線Ｙよりも若干外側（ほぼ容器本体２０の外面２２ａの位置）に位置することになる。直線部４５ｂも同様であり、したがって直線部４５ａおよび４５ｂは、容器本体内空間２７と第１取出し口４１の外部空間との間を遮らないようになっている。
【００２６】
或いは、図５に示すように、直線部４５ａが容器本体２０の周壁２２の内面２２ｂより内側に位置づけられるときには（直線部４５ａと上端閉塞部３０の周壁３２の外面３２ａとの間の距離ｄ２が容器本体２０の周壁２２および上端閉塞部３０の周壁３２の厚さの合計より長いときには）容器本体２０の上端２６近傍に傾斜端部２２ｓを設ければよい。この傾斜端部２２ｓは、図５中、その下端で容器本体２０の周壁２２の内面２２ｂと接し、その上端で直線部４５ａに接するように形成された傾斜面２２ｔを有している。すると周壁２２の内面２２ｂ上にそって直線部４５ａへと収容物を移動させた場合、収容物は傾斜面２２ｔ上を移動して、第１取出し口４１の直線部４５ａから外部へと移動することができる。
【００２７】
すなわち直線部４５ａは、容器本体内空間２７と、第１取出し口４１の外側空間との間を遮らないのである（直線部４５ａは容器本体２０の周壁２２の内面２２ｂの延長面上に実質的に位置付けられているといえるのである）。直線部４５ｂについても同様である。
【００２８】
（蓋部について）
次に上端閉塞部３０が有する蓋部について説明する。上端閉塞部３０の第１取出し口４１〜第４取出し口４４は、それぞれに対応した第１蓋部５１〜第４蓋部５４を有している。第１蓋部５１〜第４蓋部５４は、第１取出し口４１〜第４取出し口４４の面積に対応してそれぞれ異なる大きさを有しているが、それらの構造は、基本的に同一の構造を有しているので、これら蓋部の構造を第１蓋部５１にて説明する。
【００２９】
図６（ａ）〜（ｃ）は、第１蓋部５１と第３蓋部５３の相対する２つのコーナーを通る断面で示したものである。図６（ａ）は第１蓋部５１が閉じた状態を示し、図６（ｂ）は第１蓋部５１が開いていくときの状態をし、図６（ｃ）は第１蓋部５１が開いた状態を示している。ここで第１蓋部５１は、ヒンジ部５５によって上端閉塞部３０の天井板３１と連結されている。ヒンジ部５５は、天井板３１の外面３１ａおよび第１蓋部５１の外面５１ａに取り付けられ、その回動軸部５５ａと第２の周縁部４６とが略平行になっており、第１蓋部５１は図６中、上方に回動して第１取出し口４１を開閉するようになっている（図６（ａ）〜図６（ｃ））。
【００３０】
第１蓋部５１の内面５１ｂには、開閉位置決め板５６が取付けられており、開閉位置決め板５６は、第１蓋部５１が閉じた状態において、その一端５６ａ側が、天井板３１の内面３１ｂに若干被さるようになっている（図６（ａ））。天井板３１の内面３１ｂには、弾性板５７の一端側５７ａが取り付けられ、弾性板５７は、その中央部分ないし他端側の領域で開閉位置決め板５６を覆っている。
【００３１】
図６（ｂ）に示すように、第１蓋部５１を角度θだけ開いた状態では、弾性板５７が、その弾性で開閉位置決め板５６の一端５６ａを押すことになる。したがって角度θが約９０度よりも狭いときには、第１蓋部５１が閉じ（図６（ａ））、角度θが約９０度よりも広いときには、第１蓋部５１が開き（図６（ｃ））、かくして第１蓋部５１は、閉じるか開くかのいずれかで安定するようになっている。
【００３２】
これは、乾燥パスタ等を計量して取り出すために棒状体保存容器１０を傾けて天井板３１を下方に向けたときに、所望の取出し口以外の取出し口が開かないようにするためである。もちろん第１蓋部５１は、単純に開閉するだけで、第１取出し口４１が有する第１の周縁部４５および第２の周縁部４６に対する何らかの位置合わせといった面倒な操作が不要である。なおかかる機能を有する蓋部であれば、その構成は上記のものに限定されない。
【００３３】
（乾燥パスタの収容・取出し・取残し等について）
次に棒状体の棒状体保存容器１０への収容と取出を、乾燥パスタの例で説明する。乾燥パスタは、棒状体保存容器１０の容器本体２０から上端閉塞部３０を取外した状態で、容器本体２０の容器本体内空間２７に収容され、その後、容器本体２０の上端２６を上端閉塞部３０で塞ぐ。もちろん容器本体内空間２７の高さは、収容される乾燥パスタの長さよりも高くなければならない。
【００３４】
乾燥パスタを所望量計量して取り出す場合について、図７及び図７Ａを用いて第１取出し口４１から取り出す例で説明する。棒状体保存容器１０を手などで握って、第１取出し口４１が上端閉塞部３０の最下端側に位置するように棒状体保存容器１０を傾斜させる。傾斜が増して、上端閉塞部３０の天井板３１が若干下方に向くと、容器本体内空間２７に収容された乾燥パスタが重力で第１取出し口４１へ向けて移動する。
【００３５】
乾燥パスタが天井板３１の内面３１ｂの位置まで達すると、内面３１ｂで移動が阻止される乾燥パスタと、第１取出し口４１に到達して棒状体保存容器１０の外部へと移動する乾燥パスタとに分かれる。ここで外部へ移動する乾燥パスタの重量は、第１取出し口４１の開口面積と乾燥パスタの長さで決まることになる。
【００３６】
例えば第１取出し口４１を、３人分の重量の乾燥パスタを取り出すことができる開口面積としておけば、３人分の乾燥パスタを、はかり等を用いずに容易に計量できるのである。また第２取出し口４２は２人分の乾燥パスタ量に応じて、第３取出し口４３は１人分よりも若干大盛の乾燥パスタ量に応じて、そして、第４取出し口４４は丁度１人分の乾燥パスタ量に応じて、それぞれ開口面積が定められていれば、取出し口の選択で乾燥パスタの取出し量を選択できるのである。従って、棒状体保存容器１０を用いれば、所望量の乾燥パスタを必要に応じて、計量し取出すことができるから、予め計量して小分けしておく等の調理の下準備が不要になって、調理時間短縮および小分けした乾燥パスタの保管場所が不要になる。
【００３７】
次に図８を用いて取残しなく乾燥パスタを取り出せることについて説明する。図８は、図７における第１取出し口４１の位置と乾燥パスタの収納量との関係等を示す図である。ここでは、第１取出し口４１が上端閉塞部３０の最下端側に位置し、また第１取出し口４１の第２の周縁部４６が略水平に維持されるとともに、上端閉塞部３０の天井板３１が若干下方に向くように棒状体保存容器１０の姿勢が維持されているものとする。このとき第１取出し口４１では、直線部４５ａおよび４５ｂが乾燥パスタの移動を阻止することはない（図４および５参照）。
【００３８】
（乾燥パスタの収容量が多いとき）
例えば乾燥パスタが、図８中、棒状体保存容器１０の下方部で鎖線Ｌ１、あるいは鎖線Ｌ２の位置から層をなしているときには（層の上面が鎖線Ｌ１あるいはＬ２に位置するときには）、第１取出し口４１の第２の周縁部４６と、鎖線Ｌ１、あるいは鎖線Ｌ２との間の上端閉塞部３０の天井板３１の領域で、乾燥パスタの移動が阻止されるが、もちろん取り出される乾燥パスタは、第１取出し口４１の開口面積に応じた重量である。なお、ここで移動が阻止された乾燥パスタは、その後取り出されることが予定されるものであって、取残しではない。
【００３９】
（乾燥パスタの収容量が計量すべき量に等しいとき）
乾燥パスタの収容量が計量すべき量に等しいときとは、収容された乾燥パスタが、図８中、棒状体保存容器１０の下方部で、第１取出し口４１の第２の周縁部４６と重なる鎖線Ｌ３と、２つの直線部４５ａおよび４５ｂの交点との間の領域すべてに収容されて該領域で層をなしているときである。つまり、乾燥パスタの層の断面と第１取出し口４１とが重なって（棒状体保存容器１０に計量して取り出すべき量と等しい量の乾燥パスタが収容されていて）、取残しなく乾燥パスタを計量し取り出すことができる。
【００４０】
ところで、第２の周縁部４６が直線でない場合には、第１取出し口４１の第２の周縁部４６がその一部において鎖線Ｌ３と重ならない。例えば図９に示すように、第２の周縁部が図中、上側に凸で緩やかな曲線４６’であるときには、該曲線４６’と、鎖線Ｌ３との間には、両者のずれに起因して、天井板３１に２つの小領域３１ｘおよび３１ｙが形成される。これら２つの小領域３１ｘおよび３１ｙが乾燥パスタの移動を阻止して、厳密には残しが生じ得る。
【００４１】
しかし、２つの小領域３１ｘおよび３１ｙが第１取出し口４１の開口面積に比して狭く、その結果、取残し量が所望量に比べて無視できる場合には（例えば３人分の計量において、該３人分の重量に通常許容される程度の誤差に過ぎないときには）、取残しを殆ど生じないということができる。このような場合には、第２の周縁部４６は、２つの直線部４５ａおよび４５ｂの両端を実質的に直線で結ぶように形成されているということができる。もちろん第２の周縁部４６が他の形状の曲線（例えば正弦波形状の曲線）であっても、該曲線と鎖線Ｌ３とのずれで形成される領域が、小領域３１ｘおよび３１ｙと同程度の面積であれば、該曲線も実質的な直線ということができる。
【００４２】
また仮に図５において、傾斜部２２ｓがない場合には、直線部４５ａが容器本体２０の周壁２２の内面２２ｂの延長面（図４中の鎖線Ｙ）よりも内側にずれることになる（直線部４５ｂも同様）。この場合でも上記ずれが乾燥パスタの直径に対して小さい等で、乾燥パスタの取出しが阻止されないときには、直線部４５ａ（直線部４５ｂ）は、容器本体２０の周壁２２の内面２２ｂに実質的に位置付けられているといえる。
【００４３】
仮に、上記ずれで乾燥パスタの取出しが阻止されたとしても、阻止される量が乾燥パスタの計量において通常許容される程度の誤差に過ぎないときには、取残しを殆ど生じないということができる。また容器本体２０を少し揺するなどすれば、乾燥パスタの取残しをさらに少なくし、あるいはなくすことも可能である。
【００４４】
以上のように、棒状体保存容器１０を用いれば、取残しを殆ど生じず、あるいは生じることなく、乾燥パスタ（棒状体）を計量し取り出すことができることになる。
【００４５】
（棒状体保存容器の保管）
棒状体保存容器１０は、断面略正方形の柱状体をなしている。したがって複数の棒状体保存容器１０に乾燥パスタを収容し保管するときには、棒状体保存容器１０が互いに密着するように並べることができ、狭い保管スペースにより多くの棒状体保存容器１０を保管することができる。もちろん断面長方形の柱状体であっても同様である。
【００４６】
（変形例１）
上述した棒状体保存容器の断面形状を変形することもできる。例えば断面形状を三角形状（例えば正三角形状）とし、三角形柱状体の棒状体保存容器としてもよい（図９Ａ）。この場合には、三角形の各頂点（コーナー）に、それぞれ開口面積の異なる取出し口を設ければよい。また断面形状を多角形状（例えば正多角形状）とした場合には、多角形の各頂点に、それぞれ開口面積の異なる取出し口を設ければよい。すなわち断面形状を変形することで、乾燥パスタ（棒状体）の計量の選択を増やすことができる。
【００４７】
（変形例２）
あるいは、断面形状を円柱形状としてもよい。この場合には、取出し口は、第１の周縁部が円弧となり、第２の周縁部が前記円弧の両端を結んで形成される。したがって長さの異なる円弧を有する複数の取出し口を設けることで、乾燥パスタ（棒状体）の計量の選択を増やすことができる。なお楕円柱状体としても同様である。
【００４８】
上記とは別に、図９Ｂ乃至図９Ｆに示すように、取出し口の構造について種々採用することが可能である。それぞれの構造により取り出し易さ、保存の緊結性等に違いが生じ得る。さらには、図９Ｇに示すように、溝を側面に刻設しておき、１人用、１人大盛用、２人用等の分量に適合する位置にストッパを設けた構造とすることも可能である。
【００４９】
もちろん本発明は、上述した実施例に限定されるものでなく、適宜その趣旨を変更することなく変形することができる。
【符号の説明】
【００５０】
１０            棒状体保存容器
２０            容器本体
２２ａ〜２５ａ  容器本体の周壁の外面
２２ｂ〜２５ｂ  容器本体の周壁の内面
２６            容器本体の上端（上端部）
３０            上端閉塞部
４１〜４４      第１取出し口〜第４取出し口
４５            第１の周縁部
４５ａ、４５ｂ  （第１の周縁部が有する）直線部
４５ｘ、４５ｙ  第１の周縁部の両端
４６            第２の周縁部
５１〜５４      第１蓋部〜第４蓋部
５５            ヒンジ部
５５ａ          ヒンジ部の回動軸部
【図１】
2011219151.tif 000003
【図２】
2011219151.tif 000004
【図３】
2011219151.tif 000005
【図４】
2011219151.tif 000006
【図５】
2011219151.tif 000007
【図６】
2011219151.tif 000008
【図７】
2011219151.tif 000009
【図７Ａ】
2011219151.tif 000010
【図８】
2011219151.tif 000011
【図９】
2011219151.tif 000012
【図９Ａ】
2011219151.tif 000013
【図９Ｂ】
2011219151.tif 000014
【図９Ｃ】
2011219151.tif 000015
【図９Ｄ】
2011219151.tif 000016
【図９Ｅ】
2011219151.tif 000017
【図９Ｆ】
2011219151.tif 000018
【図９Ｇ】
2011219151.tif 000019
【図１０】
2011219151.tif 000020
【図１１】
2011219151.tif 000021